【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】  シート用の温度制御された通風システムであって、
回転軸線周りに孔が形成され且つ該回転軸線から外側へ空気が通過することができるように形成された環状の供給側熱交換器と、
前記回転軸線周りに孔が形成され且つ該回転軸線から外側へ空気が通過することができるように形成された環状の排気側熱交換器と、
反対側同士に表面を有する熱電装置とを具備し、該熱電装置は該熱電装置に加えられる電位に応じて一方の表面に高い温度を生じさせ、これとは反対側の表面に低い温度を生じさせ、一方の表面は前記供給側熱交換器に連結されて熱的に通じ、他方の表面は前記排気側熱交換器に連結されて熱的に通じ、
前記熱交換器と前記熱電装置との少なくとも一つに駆動上の関係をもって連結されるモータを具備し、該モータは空気が少なくとも一つの前記孔に流入して前記熱交換器を介して外部へ通過するように、前記回転軸線周りで前記熱交換器を回転させ、
少なくとも前記供給側熱交換器を有し且つ前記供給側熱交換器を通過した後に空気を外部へ流出させる出口を形成するハウジングと、
人間が座る表面を有するシートとを具備し、該表面は該人間が座る表面の少なくとも一部を貫通する通路を有し、該表面は前記供給側熱交換器の出口と流体的に通じ、前記シートの使用中に前記表面の人間が座る領域に被調節空気を供給するために前記熱交換器からの空気が前記表面を通過するように、前記熱交換器と前記モータの回転とが協働する通風システム。
【請求項２】  前記ハウジングは両熱交換器を収容し、当該通風システムは前記供給側熱交換器と前記排気側熱交換器との間に断熱仕切を形成するように、前記第一の熱交換器と前記第二の熱交換器との間に前記ハウジングに向かって径方向外側へ延びる断熱層をさらに具備し、前記熱交換器間で空気が流れるのを防止するように、前記断熱層の周囲と前記熱交換器の周囲を囲うハウジングの一部とによって形成された非接触のラビリンスシールをさらに具備する請求項１に記載の通風システム。
【請求項３】  前記ハウジングの少なくとも一部に連結されて、前記供給側熱交換器から流出する空気と接触する第一の部分と前記排気側熱交換器から流出する空気と接触する第二の部分とを有する吸上材料をさらに具備し、前記熱交換器の一方が湿気を発生した場合に、前記吸上材料が湿気を生成した方の熱交換器から離れるように湿気を移動させる請求項１または２に記載の温度制御通風システム。
【請求項４】  前記熱交換器と前記熱電装置とを組み合わせた高さは、前記回転軸線に沿って計測すると約３０ｍｍ以下である請求項１〜３のいずれか一つに記載の通風システム。
【請求項５】  前記ハウジングは両熱交換器を収容し、当該通風システムは前記供給側熱交換器と前記排気側熱交換器との間に断熱仕切を形成するように、前記第一の熱交換器と前記第二の熱交換器との間に前記ハウジングに向かって径方向外側へ延びる断熱層をさらに具備する請求項１〜４のいずれか一つに記載の通風システム。
【請求項６】  前記モータは前記熱交換器の孔の少なくとも一つに収容される請求項１〜５のいずれか一つに記載の温度制御システム。
【請求項７】  流体を熱的に調節する機器において、
電気エネルギを熱エネルギに変換するように選択され且つ加えられた電流に応じて温度変化を生じさせるように選択された熱電装置を具備し、該熱電装置は第一の表面とこの表面とは反対側の第二の表面とを有する円形のディスクを具備し且つ該ディスクの中心を通る回転軸線周りで回転するように取り付けられ、
内径および外径を有する環状の伝熱装置を具備し、該伝熱装置は前記電子装置に熱伝導的に通じるように配置され且つ前記回転軸線周りで回転するように前記ディスクの表面の一方に取り付けられ、前記伝熱装置は放熱面を有し、該放熱面は前記回転軸線周りに回転した時に前記回転軸線から外側へ向かって該放熱面を横断する流体流を生じさせるように配設され、前記伝熱装置は前記回転軸線に沿って計測された高さと前記回転軸線と直交する軸線に沿って計測された直径とを有し、前記直径の内径と外径との間の距離は前記高さよりも長い調整機器。
【請求項８】  前記伝熱装置は前記熱電装置の第一の表面に連結された第一の一連の放熱面と前記熱電装置の第二の表面に連結された第二の一連の放熱面とを具備し、前記第一の一連の放熱面は前記回転軸線と直交する複数の軸線と整列し、前記第二の一連の放熱面は前記回転軸線と直交する複数の軸線と整列し、前記第一の一連の放熱面と前記第二の一連の放熱面とは異なった放散面積を有する請求項７に記載の調整機器。
【請求項９】  前記伝熱装置は、シートと流体的に通じる少なくとも一つの出口と、前記回転軸線に沿って環状の前記放熱面の内径内に流体を供給するように形成された入口とを有するハウジング内に収容される請求項７または８に記載の機器。
【請求項１０】  前記熱交換面の少なくとも幾つかは前記回転軸線から外側へ向かって延びるほぼ平らな板を形成し且つこれら板の間に一連の空間を画成する請求項７〜９のいずれか一つに記載の調整機器。
【請求項１１】  前記第一の一連の熱交換面と前記第二の一連の熱交換面との少なくとも一方は約０．５ｍｍ〜約２ｍｍの距離だけ離間される請求項７〜１０のいずれか一つに記載の調整機器。
【請求項１２】  温度調節式流体移動装置において、
回転軸線周りで回転し且つ熱電装置と熱伝導的に通じる第一の複数の熱交換面を有する第一のファンを具備し、前記熱電装置は電気エネルギを温度変化に変換し、前記ファンは出口を有するハウジング内に収容され、前記電子装置は前記ファンと熱的に通じる第一の側部を有する熱電装置を具備し、
前記回転軸線周りで回転し且つ前記熱電装置の第二の側部から温度変化を伝導するように前記熱電装置の第二の側部と熱伝導的に通じる第二の複数の熱交換面を有する第二のファンをさらに具備し、前記第二のファンは出口を有するハウジング内に収容され、前記第一のファンと第二のファンとは外径の異なった環状構造を具備し、第一のファンは前記熱電装置から回転軸線に向かって延び、前記第二のファンは前記ファンから離れる方向に前記熱電装置から延び、前記回転軸線に沿った各ファンの高さは前記回転軸線と直交して計測される直径よりも短い温度調節式流体移動装置。
【請求項１３】  シート面を有するシートに温度制御された通気を提供する方法において、
回転軸線周りで回転する供給側熱交換器を形成し且つ該供給側熱交換器を流体が通過することができるように形成する工程を具備し、前記供給側熱交換器は前記回転軸線に沿って第一の高さを有し且つ前記回転軸線と直交する軸線に沿って第一の直径を有し、前記第一の高さは前記第一の直径より短くなるように選択され、
前記回転軸線周りで回転する排気側熱交換器を形成し且つ該排気側熱交換器を流体が通過することができるように形成する工程を具備し、前記排気側熱交換器は前記回転軸線に沿って第二の高さを有し且つ前記回転軸線と直交する軸線に沿って第二の直径を有し、前記第二の高さは前記第二の直径より短くなるように選択され且つシート内またはシート下に適合するようなサイズにされ、
反対側同士の表面を有する熱電装置を提供する工程であって、これら表面は前記熱電装置に加えられる電位に応じて一方の表面に高い温度を、これとは反対側の表面に低い温度を発生させ、前記熱電装置の一方の表面を前記供給側熱交換器に伝導的に連結し、他方の表面を前記排気側熱交換器に伝導的に連結する工程と、
前記回転軸線周りで前記熱交換器と熱電装置とを回転して前記熱交換器を通るように流体を通過させる工程と、
供給側熱交換器を収容し、前記供給側熱交換器を通過した後に流体が排出される出口を形成する工程と、
前記供給側熱交換器の出口と流体的に通じるシート表面を配置する工程とを具備する方法。
【請求項１４】  両熱交換器を収容し、前記第一の熱交換器と前記第二の熱交換器とを互いから断熱する工程をさらに具備し、前記熱交換器間で空気が流れることを防止するために断熱層と前記熱交換器の外周を囲うハウジングの一部との間に非接触のラビリンスシールを形成する工程をさらに具備する請求項１３に記載の方法。
【請求項１５】  人間が座る外面を有するシートで用いる方法において、
前記シートの外面と流体的に通じる流体出口を有する環状の第一の熱交換器を配置し、回転軸線周りで回転するように該第一の熱交換器を取り付け、前記回転軸線に沿った前記第一の熱交換器の高さが前記回転軸線と直交する軸線に沿った前記第一の熱交換器の長さより短くなるように選択する工程と、
電流が加えられると温度変化を発生させるように選択された電子装置と熱伝導的に通じるように前記第一の熱交換器を配置する工程と、
前記第一の熱交換器を通過する流体の温度を調節しながら前記第一の熱交換器を通るように流体を通過させるように、前記回転軸線周りで前記第一の熱交換器を回転させる工程とを具備する方法。
【請求項１６】  前記熱電装置の第二の表面と熱伝導的に通じるように環状の第二の熱交換器を配置し、前記回転軸線に沿った前記第二の熱交換器の高さが前記回転軸線と直交する軸線に沿った前記第二の熱交換器の直径より短くなるように選択し、前記第一の直径と第二の直径とが異なるように選択する工程と、
前記第二の熱交換器を通過する流体を調節しながら前記第二の熱交換器を通るように流体を通過させるように、前記第一の熱交換器と共に前記回転軸線周りで前記第二の熱交換器を回転する工程とをさらに具備する請求項１５に記載の方法。
【請求項１７】  シートと流体的に通じる流体分配システムを有するシートに温度制御された通気を提供する方法において、
電気エネルギを温度変化に変換するように選択された電子装置によって温度差を発生させる工程と、
温度差を熱交換面に伝導するように前記電子装置と熱伝導的に通じる第一のファンの第一の複数の熱交換面を配置する工程と、
流体を調節するために前記熱交換面を通って流体を通過させるように回転軸線周りで前記第一のファンを回転させる工程と、
出口を有するハウジングに前記ファンを収容する工程とを具備し、前記第一のファンと前記ハウジングとは前記回転軸線と直交する軸線に沿った直径より短い前記回転軸線に沿った高さを有するように選択され、前記高さおよび直径は第一のファンがシート内に収まるように選択され、
前記流体分配システムと流体的に通じるように出口を配置する工程とを具備する方法。
【請求項１８】  前記電子装置は前記ファンに熱的に通じる第一の側部を具備し、当該方法は前記熱電装置の第二の側部から温度差を伝導するように前記熱電装置の第二の側部と熱伝導的に通じる第二の複数の熱交換面を有する第二のファンを提供する工程と、前記第一のファンと共に前記第二のファンを回転する工程と、排気口と流体的に通じる出口を有するハウジング内に前記第二のファンを収容する工程とを具備し、前記第二のファンとそのハウジングとは前記回転軸線と直交する軸線に沿った第二の直径より短い前記回転軸線に沿った第二の高さを有するように選択され、前記第二の高さと第二の直径とは前記第二のファンがシート内に収まるように選択され、前記第一のハウジングと前記第二のハウジングとは流体が前記回転軸線に沿ってファンに流入するように形成される請求項１７に記載の方法。
【請求項１９】  流体を熱的に調節する方法において、
回転軸線周りで回転する供給側熱交換器を形成し、該供給側熱交換器を流体が通過することができるように形成する工程を具備し、前記供給側熱交換器は前記回転軸線に沿って第一の高さを有し且つ前記回転軸線と直交する第一の直径を有し、前記第一の直径は前記第一の高さより長くなるように選択され、
前記回転軸線周りで回転する排気側熱交換器を形成し、該排気側熱交換器を流体が通過することができるように形成する工程を具備し、前記排気側熱交換器は前記回転軸線に沿って第二の高さを有し且つ前記回転軸線と直交する第二の直径を有し、前記第二の直径は前記第二の長さより長くなるように選択され、
反対側同士の表面を有する熱電装置を提供する工程であって、これら表面は前記熱電装置に加えられる電位に応じて一方の表面に高い温度を発生させ、これとは反対側の表面に低い温度を発生させ、前記熱電装置の一方の表面を前記供給側熱交換器に伝導的に連結し、他方の表面を前記排気側熱交換器に伝導的に連結する工程と、
前記回転軸線周りで前記熱交換器と熱電装置とを回転させて、前記熱交換器を通るように気体を通過させる工程と、
供給側熱交換器を収容し、前記供給側熱交換器を通過した後に気体が排出される出口を形成する工程と、
囲われて断熱されたポータブルチャンバの内部と流体的に通じる前記供給側熱交換器からの出口を配置し、前記排気側熱交換器から該チャンバの外へ排気する工程とを具備する方法。
【請求項２０】  前記供給側熱交換器を形成する工程は、前記回転軸線周りに孔を備えた熱交換器を形成し、気体を前記回転軸線から外側に向かって通過させることができるように前記熱交換器を形成する工程を具備し、
前記排気側熱交換器を形成する工程は前記回転軸線周りに孔を備えた熱交換器を形成し、気体を前記回転軸線から外側に向かって通過させることができるように前記排気側熱交換器を形成する工程を具備し、
前記回転軸線周りで前記熱交換器と前記熱電装置とを回転させる工程は、流体を前記孔の少なくとも一つに流入させて前記熱交換器を通って外側に向かって通過させる請求項１９に記載の方法。
【請求項２１】  前記供給側熱交換器に流体的に通じるようにシートを配置する工程をさらに具備する請求項１９または２０に記載の方法。
【請求項２２】  前記チャンバの内部にアクセスできるように閉鎖可能な開口を提供する工程をさらに具備する請求項１９〜２１のいずれか一つに記載の方法。
【請求項２３】  吸上材料を前記ハウジングの少なくとも一部に連結する工程をさらに具備し、前記吸上材料は前記供給側熱交換手段から流出する空気と接触する第一の部分と、前記排気側熱交換器から流出する空気と接触する第二の部分とを有し、一方の熱交換器が湿気を発生させると前記吸上材料は湿気を生じさせた熱交換器から湿気を離れるように移動させる請求項１９〜２２のいずれか一つに記載の方法。